(57)【要約】【課題】  非点収差が発生することのない光路補正装置と、光路補正装置を備えた光ピックアップを提供する。【解決手段】  波長の異なる２つのレーザ光線Ｌ１、Ｌ２の光路が一致するように一方のレーザ光線の光路を補正する光路補正装置であって、レーザ光線Ｌ２の光路をレーザ光線Ｌ１の光路と一致するように補正する複屈折板１０と、複屈折板１０から出射されるレーザ光線Ｌ１を平行光にすると共に、レーザ光線Ｌ２を透過するコリメータレンズ１と、コリメータレンズ１の出射面側に配置され、複屈折板１０において発生するレーザ光線Ｌ２の非点収差を補正する非点収差補正板２とを備えるようにした。【選択図】      図１
2006313609.tif 000002
【特許請求の範囲】
【請求項１】
波長の異なる２つのレーザ光線の光路が一致するように補正する光路補正装置であって、
第１のレーザ光線の光路と一致するように第２のレーザ光線の光路を補正する光路補正手段と、
前記光路補正手段の出射面側に配置され、前記光路補正手段から出射される前記第１及び第２のレーザ光線のうち、前記第１のレーザ光線の発散光を平行光に変換し、前記第２のレーザ光線を透過するコリメータレンズと、
前記コリメータレンズの出射面側に配置され、前記光路補正手段において発生する前記第２のレーザ光線の非点収差を補正する非点収差補正手段と、
を備えることを特徴とする光路補正装置。
【請求項２】
請求項１に記載の光路補正装置において、前記光路補正手段は、一軸結晶板からなり前記一軸結晶板の両主面に対して４５度の光学軸を有することを特徴とする光路補正装置。
【請求項３】
請求項１または請求項２に記載の光路補正装置を備えることを特徴とする光ピックアップ。
【発明の詳細な説明】
【技術分野】
【０００１】
本発明は、波長の異なる２つのレーザ光線の光路が一致するように補正する光路補正装置と、そのような光路補正装置を備えた光ピックアップに関し、特に光ディスク装置に好適なものである。
【背景技術】
【０００２】
光ディスク装置に用いられる光ピックアップは、種類の異なる光ディスクに対応するため波長の異なる複数のレーザ光が使用できる構造となっている。
図３は光ピックアップに用いられる２つの異なる波長の光を合成する光学系の構成例を示した図である。
この図３において、１１は波長６５０ｎｍのＬＤ（レーザダイオード）、１２は波長７８０ｎｍのＬＤ、１０１は２波長を合成するダイクロイックプリズムである。このように構成した２波長の光を合成する光学系において、波長６５０ｎｍのＬＤ１１の光はほぼ９０％以上がダイクロイックプリズム１０１を透過する。また波長７８０ｎｍのＬＤ１２の光は、ほぼ９０％以上がダイクロイックプリズム１０１で９０度反射して、ＬＤ１１からの透過光と同じ光路に入る。それぞれの光を同じ方向に反射、及び透過させることで２波長を合成することが一般的であった。しかしながら、このような従来の方法では、ＬＤの配置が２方向になるため光ピックアップのコンパクト化が困難であった。
そこで、特許文献１には複数のＬＤを１方向に配置するための技術が開示されている。
図４は特許文献１に開示されている光学系の構成を示した図である。
図４に示す光学系においては、ＬＤ１１及びＬＤ１２からそれぞれ出射されたレーザ光線Ｌ１、Ｌ２を複数波長合成素子（複屈折板）１０に垂直に入射する。この時、ＬＤ１１から出射されるレーザ光線Ｌ１は、複数波長合成素子１０に入射したときの常光線Ｌ１ｏと同じ偏波面となるようにする。また、ＬＤ１２から出射されたレーザ光線Ｌ２は、複屈折板１０に入射したときの異常光線Ｌ２ｅと同じ偏波面となるようにする。即ち、レーザ光線Ｌ１の磁気ベクトルの振動方向が主断面（ＸＹ平面）に垂直（中に点を有する小円で示す）、レーザ光線Ｌ２の磁気ベクトルの振動方向が主断面に平行（上下方向の矢印で示す）となるように、ＬＤ１１とＬＤ１２とを出射光路を中心として回転させながら調整を行うようにしたものである。
【０００３】
ところが、上記したような２波長合成方法では、２個のＬＤを個別に設けたうえで、これらの光路を互いに直交するように配置しなければならない。このため、光ピックアップのコンパクト化を図るのが困難であった。
そこで、例えば一つの半導体基板上に２つの異なる波長のレーザ光源を形成することが考えられるが、製造プロセス上の制約から偏波面を互いに直交させることが容易ではなく、レーザ光源から出射される２つのレーザ光線の偏波面が同じになるため、上記特許文献１に開示されている光路補正方式を適用することができないという欠点があった。
そこで、本願出願人は、レーザ光源から出射される偏光面が互いに平行である２つの異なる波長のレーザ光線のうち、何れか一方のレーザ光線の偏波面を９０度回転させ、他方のレーザ光線を偏波面は回転させることなく、そのまま透過するように構成した波長板を光路補正素子である複屈折板の前段に配置した光路補正装置等も提案している（特許文献２）。
【特許文献１】特開２００１−２８３４５７公報
【特許文献２】特開２００５−１８９６０公報
【発明の開示】
【発明が解決しようとする課題】
【０００４】
しかしながら、上記特許文献１、２に提案されている光路補正装置では以下のような問題点があった。
図５は、レーザ光源から出射されるレーザ光線（発散光）が複屈折板を通過するときの光路を模式的に示した図である。なお、図５においては、レーザ光源として、２つの異なる波長のレーザ光線Ｌ１、Ｌ２を出射するレーザ光源２１、２２が一体的に構成されたレーザユニット２０が設けられているものとする。
この場合、図５（ａ）に示すようにレーザユニット２０のレーザ光源２１から出射され、複屈折板１０を透過するレーザ光線Ｌ１の発散光が複屈折板１０内を通過するときの通過距離ｄ１、ｄ１’は等しくなる。
これに対して、図５（ｂ）に示すように、レーザユニット２０のレーザ光源２２から出射され、複屈折板１０においてレーザ光線Ｌ１の光路と一致するように光路が補正されるレーザ光線Ｌ２の発散光が複屈折板１０内を通過するときの通過距離ｄ２、ｄ２’には差が生じることになる。つまりレーザ光線Ｌ２の発散光が複屈折板１０内を通過するときには光路差が生じ、レーザ光線Ｌ２に非点収差が発生するという問題点があった。このため、上記したような光路補正装置を光ピックアップ装置に適用することが困難であった。
そこで、本発明は上記したような点を鑑みてなされたものであり、非点収差が発生することのない光路補正装置と、その光路補正装置を備えた光ピックアップを提供することを目的とする。
【課題を解決するための手段】
【０００５】
上記目的を達成するため、請求項１に記載の発明は、波長の異なる２つのレーザ光線の光路が一致するように補正する光路補正装置であって、第１のレーザ光線の光路と一致するように第２のレーザ光線の光路を補正する光路補正手段と、前記光路補正手段の出射面側に配置され、前記光路補正手段から出射される前記第１及び第２のレーザ光線のうち、前記第１のレーザ光線の発散光を平行光に変換し、前記第２のレーザ光線を透過するコリメータレンズと、前記コリメータレンズの出射面側に配置され、前記光路補正手段において発生する前記第２のレーザ光線の非点収差を補正する非点収差補正手段とを備えることを特徴とする。
請求項２に記載の発明は、請求項１に記載の光路補正装置において、前記光路補正手段は、一軸結晶板からなり、前記一軸結晶板の両主面に対して４５度の光学軸を有することを特徴とする。
請求項３に記載の発明は、請求項１又は請求項２に記載の光路補正装置を備えている光ピックアップを特徴とする。
【発明の効果】
【０００６】
本発明によれば、光路補正手段により第２のレーザ光線の光路が第１のレーザ光線の光路と一致するように光路補正を行ったときに、第２のレーザ光線が光路補正手段内を通過したときの光路差の違いにより発生する非点収差を、非点収差補正手段により補正するようにしたので、非点収差の無い光路補正装置を実現することができる。
従って、本発明の光路補正装置を用いて光ピックアップを構成すれば、２波長対応の光ピックアップのコンパクト化が可能になる。
【発明を実施するための最良の形態】
【０００７】
以下、本発明の光路補正装置の実施形態について説明する。
図１は、本発明の実施形態としての光路補正装置の構成を示した図である。
図１に示す光路補正装置は、複屈折板（光路補正手段と）１０と、この複屈折板１の出射面側に配置されるコリメータレンズ１と、このコリメータレンズ１の出射面側に配置される非点収差補正板（非点収差正手段）２とから構成される。複屈折板１０には発光波長の異なる２つのレーザ光源１１、１２から夫々出射されたレーザ光線Ｌ１、Ｌ２が垂直に入射される。レーザ光源１１は波長６５０ｎｍのレーザ光線（第１のレーザ光線）Ｌ１を発するＬＤ（レーザダイオード）、レーザ光源１２は波長７８０ｎｍのレーザ光線（第２のレーザ光線）Ｌ２を発するＬＤである。
複屈折板１０は、先に図４を用いて説明したように複屈折性を有する一軸結晶の材料を光学軸Ａｏが表面と４５度の角度を成すように薄切りにしたものであり、複屈折板１０の光学軸Ａｏと合成しようとする２つのレーザ光線Ｌ１、Ｌ２との配置は、レーザ光線Ｌ１及びレーザ光線Ｌ２を含む平面と光学軸Ａｏが平行となるようにする。またこの場合も、レーザ光源１１から出射するレーザ光線Ｌ１は、複屈折板１０に入射したときの常光線Ｌ１ｏと同じ偏波面となるようにする。また、レーザ光源１２から出射するレーザ光線Ｌ２は、複屈折板１０に入射したときの異常光線Ｌ２ｅと同じ偏波面となるようにする。
コリメータレンズ１は、レーザ光源１１からの波長λ１のレーザ光線Ｌ１に対して作用するように設計されている。即ち、レーザ光源１１から入射される波長λ１のレーザ光線Ｌ１を平行光として出射するが、レーザ光源１２から入射される波長λ２のレーザ光線Ｌ２についてはそのまま透過するように機能する。
非点収差補正板２は、例えば平板上の光学ガラスにより構成され、複屈折板１０において生じるレーザ光線Ｌ２の非点収差を補正するように機能する。
【０００８】
このように構成された本実施形態の光路補正装置では、レーザ光源１１から出射された波長λ１のレーザ光線Ｌ１が複屈折板１０を介してコリメータレンズ１に入射され、コリメータレンズ１において平行光に変換されて非点収差補正板２に入射されることになる。この場合、レーザ光線Ｌ１は複屈折板１０において非点収差が生じないため、レーザ光線Ｌ１については非点収差補正板２において非点収差の補正が行われないようにする必要がある。
このため、本実施の形態においては、複屈折板１０と非点収差補正板２との間に、コリメータレンズ１を配置して、複屈折板１０において非点収差が発生しないレーザ光線Ｌ１の発散光を平行光に変換するようにしている。これにより、レーザ光線Ｌ１については、後段の非点収差補正板２において非点収差補正が行われないようにしている。
これに対して、複屈折板１０において非点収差が発生するレーザ光線Ｌ２は、コリメータレンズ１において平行光に変換されることなく、コリメータレンズ１をそのまま透過して非点収差補正板２に入射されるので、非点収差補正板２において複屈折板１０において発生した非点収差の補正が行われることになる。
従って、このような本実施形態の光路補正装置によれば、複屈折板１０により第２のレーザ光線Ｌ２の光路が第１のレーザ光線Ｌ１の光路と一致するように補正を行ったときに、第２のレーザ光線Ｌ２が複屈折板１０内を通過するときの光路差の違いにより発生する非点収差を、非点収差補正板２により補正するようにしたので非点収差の無い光路補正装置を実現することができる。従って、このような本実施形態の光路補正装置を用いて光ピックアップを構成すれば、２波長対応の光ピックアップのコンパクト化が可能になる。
【０００９】
なお、図１に示した光路補正装置では、レーザ光源１１、１２を夫々個別に設けるようにしているが、例えば、図２に示すように一つの半導体基板上に２つの異なる波長のレーザを出射することができるレーザ光源２１、２２を形成したレーザユニット２０を使用することも勿論可能である。
但し、この場合は、特許文献２にも記載されているように、製造プロセス上の制約から偏波面を互いに直交させることが容易ではなく、レーザ光源から出射する２つのレーザ光線の偏波面が同じになってしまうため、レーザユニット２０のレーザ光源２１、２２から出射される偏光面が互いに平行である２つの異なる波長のレーザ光線のうち、一方のレーザ光線の偏波面を９０度回転させ、他方のレーザ光線を偏波面は回転させることなく、そのまま透過するように構成した波長板２３を複屈折板１０の前段に配置する必要がある。そして、このように構成すれば光ピックアップをより小型化することが可能になる。
【図面の簡単な説明】
【００１０】
【図１】本発明の実施形態としての光路補正装置の構成を示した図。
【図２】レーザ光源の他の構成を示した図。
【図３】従来の光学系の構成を示した図。
【図４】従来の光路補正素子の構成を示した図。
【図５】従来のレーザ光源から出射されるレーザ光線（発散光）が複屈折板を通過するときの光路を模式的に示した図。
【符号の説明】
【００１１】
１…コリメータレンズ、２…非点収差補正板、１０…複屈折板、１１、１２、２１、２２…レーザ光源、２３…波長板
【図１】
2006313609.tif 000003
【図２】
2006313609.tif 000004
【図３】
2006313609.tif 000005
【図４】
2006313609.tif 000006
【図５】
2006313609.tif 000007